(57)【要約】【課題】収容時に生じ得る不具合を解消することができる収容ケースを提供する。【解決手段】前面２１に上部切込み８１と下部切込み８２を形成し、両切込み８１，８２を端部を左右側面５４，５７まで延設する。上部及び下部切込み左端８５，１１１を、左側面５４の中間位置９１より前面２１側に設定する。上部及び下部切込み右端１０１，１２１を、右側面５７の中間位置１０２より前面２１側に設定する。上部切込み左端８５と下部切込み左端１１１を左折線１３１で結び、上部切込み右端１０１と下部切込み右端１２１を右折線１３２で結んで、ケース本体１１の内側に折り込まれる折込部１４１を形成する。左側面５４を形成する折曲線５５で左縁折線１５１を形成し、右側面５７を形成する為の折曲線５６で右縁折線１５２を形成する。左縁折線１５１の内側に左谷折線１６１を形成し、右縁折線１５２の内側に右谷折線１６２を形成する。【選択図】図３
2008162641.tif 000002
【特許請求の範囲】
【請求項１】
ケース本体の前面から側面に渡って延設された一対の切込みの端部が、前記前面と背面との間に設けられた折線で結ばれ、各側面に形成された両折線と前記両切込みとで包囲された折込部が当該ケース本体の内側に折り込まれて前記前面に開口部が形成される収納ケースにおいて、
前記折線の形成位置を、前記前面と前記背面との中間位置より前記前面側に設定したことを特徴とする収納ケース。
【請求項２】
前記中間位置から前記折線の形成位置までの離間距離を、当該ケース本体を形成する板材の厚み寸法以上に設定したことを特徴とする請求項１記載の収納ケース。
【請求項３】
前記両折線の中間部に、当該折込部を縦断する中折線を設けたことを特徴とする請求項１又は２記載の収納ケース。
【請求項４】
前記両折線間に、当該折込部を縦断する一対の谷折線を離間して設けたことを特徴とする請求項１、２又は３記載の収納ケース。
【請求項５】
前記前面に対して前記各側面を折曲形成する為の縁折線を前記折込部に形成したことを特徴とする請求項１から４にいずれか記載の収納ケース。
【請求項６】
前記前面に対して前記各側面を折曲形成する為の縁折線を前記折込部に形成するとともに、前記両縁折線の間に当該折込部を縦断する一対の谷折線を離間して設け、該谷折線と隣接した前記縁折線との離間距離を５ｍｍ以内に設定したことを特徴とする請求項１、２又は３記載の収納ケース。
【発明の詳細な説明】
【技術分野】
【０００１】
本発明は、製品を収容する収容ケースに関する。
【背景技術】
【０００２】
従来、製品を販売する際には、陳列する為の収容ケースが用いられている（例えば、特許文献１及び特許文献２）。
【０００３】
この収容ケースは、製品を収容する矩形状のケース本体からなり、該ケース本体の前面には、収容された製品を見せる為の開口部が形成されている。
【０００４】
すなわち、前記ケース本体の前面には、当該前面を横断する上下一対の切込みが形成されており、各切込みは、前記ケース本体側面の中央まで延設されている。各切込みの端部は、折線で結ばれており、前記両切込みと前記両折線とで包囲された内側には、前記ケース本体の内側に折り込まれる折込部が形成されている。
【０００５】
この折込部は、前記前面の一部で構成された前面構成部と、前記側面の一部で構成された側面構成部とからなり、当該折込部を折り込んだ状態で、前記側面構成部が前記ケース本体の側面の内側に沿って配置されるように構成されている。また、前記前面構成部は、前記ケース本体の背面に沿って配置されるように構成されており、この折込状態において、前記前面に開口部を形成できるように構成されている。
【特許文献１】実開昭５７−１２９０３２号公報
【特許文献１】特開平０１−２１３１４３号公報
【発明の開示】
【発明が解決しようとする課題】
【０００６】
しかしながら、このような収納ケースにあっては、前記ケース本体の前面の幅寸法と背面の幅寸法とは、ほぼ同寸法に設定されるが、前記ケース本体の内側の幅寸法は、当該ケース本体の側面の肉厚分狭くなる。
【０００７】
このため、前記折込部を前記ケース本体内に折り込んだ状態において、当該折込部に撓みが生じ、前記背面に沿って配置される前記前面構成部が内側に湾曲して突出してしまう。
【０００８】
この状態で、当該収容ケース内に製品を収容すると、突出した前面構成部に前記製品が引っ掛かり、収容し難いとうい問題があった。
【０００９】
本発明は、このような従来の課題に鑑みてなされたものであり、収容時に生じ得る不具合を解消することができる収容ケースを提供することを目的とするものである。
【課題を解決するための手段】
【００１０】
前記課題を解決するために本発明の請求項１の収納ケースにあっては、ケース本体の前面から側面に渡って延設された一対の切込みの端部が、前記前面と背面との間に設けられた折線で結ばれ、各側面に形成された両折線と前記両切込みとで包囲された折込部が当該ケース本体の内側に折り込まれて前記前面に開口部が形成される収納ケースにおいて、前記折線の形成位置を、前記前面と前記背面との中間位置より前記前面側に設定した。
【００１１】
すなわち、前記折線の形成位置を、前記前面と前記背面との中間位置より前記前面側に設定することで、前記両折線間の前記折込部の長さ寸法を、前記ケース本体の内面に沿った前記両折線間の距離より短くすることができる。
【００１２】
これにより、前記ケース本体内に折り込まれる前記折込部で生じ得る撓みが防止され、当該折込部は背面側に固定される。
【００１３】
また、請求項２の収納ケースにおいては、前記中間位置から前記折線の形成位置までの離間距離を、当該ケース本体を形成する板材の厚み寸法以上に設定した。
【００１４】
これにより、前記折込部を前記ケース本体の内側に折り込んだ際に生じ得る前記板材の肉厚に起因した撓みが防止される。
【００１５】
さらに、請求項３の収納ケースでは、前記両折線の中間部に、当該折込部を縦断する中折線を設けた。
【００１６】
すなわち、前記両折線の中間部に中折線を設けることによって、該中折線を折曲した状態で前記背面に密着させることができる。
【００１７】
また、この状態において、前記中折線の両脇に傾斜面を形成することができ、前記撓みを、この傾斜面で吸収することができる。
【００１８】
このため、前記折込部を前記背面側へ湾曲させる場合と比較して、当該ケース本体の側面に入力される前記折込部からの反力が抑えられる。
【００１９】
加えて、請求項４の収納ケースにあっては、前記両折線間に、当該折込部を縦断する一対の谷折線を離間して設けた。
【００２０】
すなわち、前記両折線間に一対の谷折線を離間して設けることによって、両谷折線間に平面が形成され、この平面は、前記背面に沿って配設される。
【００２１】
また、請求項５の収納ケースにおいては、前記前面に対して前記各側面を折曲形成する為の縁折線を前記折込部に形成した。
【００２２】
すなわち、前記前面に対して前記各側面を折曲形成する為の縁折線を前記折込部に形成することによって、前記折線と前記縁折線との間に平面が形成され、この平面は、前記側面に沿って配設される。
【００２３】
さらに、請求項６の収納ケースでは、前記前面に対して前記各側面を折曲形成する為の縁折線を前記折込部に形成するとともに、前記両縁折線の間に当該折込部を縦断する一対の谷折線を離間して設け、該谷折線と隣接した前記縁折線との離間距離を５ｍｍ以内に設定した。
【００２４】
すなわち、前記前面に対して前記各側面を折曲形成する為の縁折線を前記折込部に形成することによって、前記折線と前記縁折線との間に平面が形成され、この平面は、前記側面に沿って配設される。
【００２５】
また、前記両縁折線の間に当該折込部を縦断する一対の谷折線を離間して設けることで、両谷折線間に平面が形成され、この平面は、前記背面に沿って配設される。
【００２６】
そして、前記谷折線と隣接した前記縁折線との離間距離を５ｍｍ以内に設定することで、前記側面に沿って配置された平面と前記背面に沿って配置される平面との間に形成される傾斜面の幅寸法が５ｍｍ以内とされる。
【発明の効果】
【００２７】
以上説明したように本発明の請求項１の収納ケースにあっては、前記ケース本体内に折り込まれる前記折込部での撓みを防止し、当該折込部を前記ケース本体の背面側に固定することができる。
【００２８】
このため、折込部をケース本体内に折り込んだ状態において、当該折込部に撓みが生じ、背面に沿って配置される部位が内側に湾曲して突出してしまう従来と比較して、前記収容ケース内への製品の収容が容易となり、前記ケース本体への製品の収容作業性が向上する。
【００２９】
したがって、製品収容時に生じ得る不具合を解消することができる。
【００３０】
また、請求項２の収納ケースにおいては、前記中間位置から前記折線の形成位置までの離間距離を、当該ケース本体を形成する板材の厚み寸法以上に設定することで、前記折込部を前記ケース本体の内側に折り込んだ際に生じ得る前記板材の肉厚に起因した撓みを防止することができ、撓みによる不具合を解消することができる。
【００３１】
さらに、請求項３の収納ケースでは、前記両折線の中間部に中折線を設けることによって、該中折線を折曲した状態で前記背面に密着させることができる。
【００３２】
また、この状態において、前記中折線の両脇に傾斜面が形成されるため、前記撓みを、この傾斜面で吸収することができる。
【００３３】
このため、前記折込部を前記背面側へ湾曲させる場合と比較して、当該ケース本体の側面に入力される反力を抑えることができる。これにより、この反力に起因したケース本体の変形を防止し、外販品質を高めることができる。
【００３４】
加えて、請求項４の収納ケースにあっては、前記両折線間に一対の谷折線を離間して設けることによって両谷折線間に平面を形成し、この平面を前記背面に沿って配設することができる。
【００３５】
これにより、前記ケース本体における奥行き方向の収容スペースを増大することができる。
【００３６】
また、請求項５の収納ケースにおいては、前記前面に対して前記各側面を折曲形成する為の縁折線を前記折込部に形成することによって、前記折線と前記縁折線との間に平面を形成し、この平面を前記側面に沿って配設することができる。
【００３７】
これにより、前記ケース本体における幅方向の収容スペースを増大することができる。
【００３８】
さらに、請求項６の収納ケースでは、前記前面に対して前記各側面を折曲形成する為の縁折線を前記折込部に形成することによって、前記折線と前記縁折線との間に平面を形成し、この平面を前記側面に沿って配設することができる。
【００３９】
これにより、前記ケース本体における幅方向の収容スペースを増大することができる。
【００４０】
また、前記両縁折線の間に当該折込部を縦断する一対の谷折線を離間して設けることで、両谷折線間に平面を形成し、この平面を前記背面に沿って配設することができる。
【００４１】
これにより、前記ケース本体における奥行き方向の収容スペースを増大することができる。
【００４２】
そして、前記谷折線と隣接した前記縁折線との離間距離を５ｍｍ以内に設定することで、前記側面に沿って配置された平面と前記背面に沿って配置される平面との間に形成される傾斜面の幅寸法を５ｍｍ以内とすることができる。
【００４３】
これにより、前記ケース本体における幅方向の収容スペースと奥行き方向の収容スペースとを有効に利用することができる。
【発明を実施するための最良の形態】
【００４４】
（第１の実施の形態）
【００４５】
以下、本発明の第１の実施の形態を図に従って説明する。図１は、本実施の形態にかかる収納ケース１を示す図であり、該収納ケース１は、製品を収容して店頭などに陳列するものである。
【００４６】
この収納ケース１は、図１及び図２に示すように、矩形状のケース本体１１を備えており、当該収納ケース１を自立させた状態で陳列棚に配置できるように構成されている。この収納ケース１の前記ケース本体１１からは、延出片１２が上方へ向けて延出しており、該延出片１２の中央部には、三角形状の吊り下げ穴１３が開設されている。これにより、当該収納ケース１を吊り下げて陳列することもできるように構成されている。
【００４７】
前記ケース本体１１の前面２１には、開口部２２が開設されており、当該ケース本体１１内に収容された製品を前記開口部２２から見えるように構成されている。そして、このケース本体１１には、図１に示したように、製品としてのスポンジ２３，・・・を保持した容器体２４が透明袋に包まれた状態で収容されている（容器体２４の一部にスポンジ２３が収容された状態を図示）。
【００４８】
図３は、前記収納ケース１を展開した状態を示す図で、当該収納ケース１は、板材としてのボール紙３１がプレスされて形成されており、その表側には、印刷が施されている。
【００４９】
すなわち、前記収納ケース１は、長方形状の背面４１を備えており、該背面４１には、折曲線４２を介して連設部４３が連設されている。この連設部４３は、前記折曲線４２で折り曲げられるように構成されており、前記延出片１２を形成するように構成されている。
【００５０】
前記背面４１の左縁の下部には、折曲線５１を介して接合片５２が連設されており、当該背面４１の右縁には、折曲線５３を介して左側面５４が連設されている。該左側面５４の右縁には、折曲線５５を介して前記前面２１が連設されており、該前面２１の右縁には、折曲線５６を介して右側面５７が連設されている。
【００５１】
前記背面４１の下縁には、折曲線を６１介して底蓋部６２が連設されており、前記左側面５４の下縁には、折曲線６３を介して左係止片６４が連設されている。前記前面２１の下縁には、折曲線６５を介して底面６６が連設されており、前記右側面５７の下縁には、折曲線６７を介して右係止片６８が連設されている。
【００５２】
また、前記左側面５４の上縁には、折曲線７１を介して左フラップ７２が連設されており、前記前面２１の上縁には、折曲線７３を介して天面７４が連設されている。該天面７４には、折曲線７５を介してフラップ７６が連設されており、前記右側面５７の上縁には、折曲線７７を介して右フラップ７８が形成されている。
【００５３】
前記各折曲線は、プレス時に溝状に形成されており、箱形状収納ケース１を形成する際に機械折りできるように構成されている。
【００５４】
これにより、前記各折曲線を折り曲げて前記ケース本体１１を形成する際には、接着剤が塗布された前記接合片５２を前記右側面５７の裏側に接着して矩形筒形状を形成した後、前記底蓋部６２と前記左係止片６４と前記右係止片６８と前記底面６６とによって底を形成する。そして、前記左フラップ７２と前記右フラップ７８とを内側に傾倒するとともに、その上に前記天面７４を重ねた状態で、前記フラップ７６を前記背面４１側に挿入することで、上部開口部を閉鎖して前記ケース本体１１を形成できるように構成されている。
【００５５】
このケース本体１１を構成する前記前面２１には、対を成す上部切込み８１と下部切込み８２とが形成されており、両切込み８１，８２は、当該前面２１を横断するように延設されている。
【００５６】
前記上部切込み８１は、波形状に形成されており、その左端部は、前記左側面５４まで延設されている。この上部切込み左端８５は、当該左側面５４の左縁と右縁の中間位置９１より右縁側、つまり前記前面２１と前記背面４１との中間位置９１より前記前面２１側に設定されており、当該上部切込み左端８５と前記中間位置９１との離間距離９２は、当該ボール紙３１の厚み寸法以上である１ｍｍに設定されている。
【００５７】
また、前記上部切込み８１の右端部は、前記右側面５７まで延設されており、この上部切込み右端１０１は、当該右側面５７の左縁と右縁の中間位置１０２より左縁側、つまり前記前面２１と前記背面４１との中間位置１０２より前記前面２１側に設定され、当該上部切込み右端１０１と前記中間位置１０２との離間距離１０３は、当該ボール紙３１の厚み寸法以上である１ｍｍに設定されている。
【００５８】
前記下部切込み８２は、曲線状に形成されており、その左端部は、前記左側面５４まで延設されている。この下部切込み左端１１１は、当該左側面５４の左縁と右縁の前記中間位置９１より右縁側、つまり前記前面２１と前記背面４１との中間位置９１より前記前面２１側に設定されており、当該下部切込み左端１１１と前記中間位置９１との離間距離９２も、当該ボール紙３１の厚み寸法以上である１ｍｍに設定されている。
【００５９】
また、前記下部切込み８２の右端部は、前記右側面５７まで延設されており、この下部切込み右端１２１は、当該右側面５７の左縁と右縁の前記中間位置１０２より左縁側、つまり前記前面２１と前記背面４１との中間位置１０２より前記前面２１側に設定され、当該下部切込み右端１２１と前記中間位置１０２との離間距離は、当該ボール紙３１の厚み寸法以上である１ｍｍに設定されている。
【００６０】
前記上部切込み８１の前記上部切込み左端８５と前記下部切込み８２の前記下部切込み左端１１１とは、山折りされる左折線１３１で結ばれており、該左折線１３１と前記中間位置９１までの離間距離９２は、前記ボール紙３１の厚み寸法以上である１ｍｍに設定されている。また、前記上部切込み８１の前記上部切込み右端１０１と前記下部切込み８２の前記下部切込み右端１２１とは、山折りされる右折線１３２で結ばれており、該右折線１３２と前記中間位置１０２までの離間距離１０３は、前記ボール紙３１の厚み寸法以上である１ｍｍに設定されている。
【００６１】
これにより、前記ケース本体１１には、前記両切込み８１，８２と前記両折線１３１，１３２とで包囲された内側に、前記ケース本体１１の内側に折り込まれる折込部１４１が形成されており、該折込部１４１が当該ケース本体１１の内側に折り込まれることにによって、前記前面２１に前記開口部２２を形成できるように構成されている。
【００６２】
この折込部１４１には、前記前面２１に対して前記左側面５４を折曲形成する為の前記折曲線５５によって左縁折線１５１が形成されており、該左縁折線１５１は、当該折込部１４１を縦断して延設されている。また、前記折込部１４１には、前記前面２１に対して前記右側面５７を折曲形成する為の前記折曲線５６によって右縁折線１５２が形成されており、該右縁折線１５２も、当該折込部１４１を縦断して延設されている。これにより、当該折込部１４１を前記ケース本体１１内側に折り込む際に、前記各縁折線１５１，１５２を谷折りできるように構成されている。
【００６３】
前記左縁折線１５１の内側には、左谷折線１６１が平行して形成されており、該左谷折線１６１は、当該折込部１４１を縦断して延設されている。また、前記右縁折線１５２の内側には、右谷折線１６２が平行して形成されており、該右谷折線１６２は、当該折込部１４１を縦断して延設されている。これにより、前記左右折線１３１，１３２間には、当該折込部１４１を縦断する一対の前記各谷折線１６１，１６２が離間して設けられている。
【００６４】
前記左谷折線１６１と、該左谷折線１６１に隣接した前記左縁折線１５１との離間距離１７１は、５ｍｍに設定されており、前記右谷折線１６２と、該右谷折線１６２に隣接した前記右縁折線１５２との離間距離１７２も、５ｍｍに設定され、これらの離間距離１７１，１７２は、５ｍｍ以内とすることが望ましい。
【００６５】
これにより、前記折込部１４１の前記左折線１３１と前記左縁折線１５１との間には、図４に示すように、当該折込部１４１を前記ケース本体１１内に折り込んだ状態で、前記左側面５４に沿って垂下する左垂下部１８１が形成されており、前記左縁折線１５１と前記左谷折線１６１との間には、前記左側面５４から前記背面４１へ向けて斜めに延在する左傾斜部１８２が形成されている。
【００６６】
また、前記右折線１３２と前記右縁折線１５２との間には、前記右側面５７に沿って垂下する右垂下部１９１が形成されており、前記右縁折線１５２と前記右谷折線１６２との間には、前記右側面５７から前記背面４１へ向けて斜めに延在する右傾斜部１９２が形成されている。
【００６７】
そして、前記左谷折線１６１と前記右谷折線１６２との間には、前記背面４１に沿って延在する背面延在部２０１が形成されている。
【００６８】
以上の構成にかかる本実施の形態において、前記ケース本体１１の内側に折り込まれる前記折込部１４１の前記左右折線１３１，１３２の形成位置を、前記前面２１と前記背面４１との中間位置９１，１０２より前記前面２１側に設定することで、前記左右折線１３１，１３２間の前記折込部１４１の長さ寸法を、前記ケース本体１１の内面に沿った前記左右折線１３１，１３２間の距離より短くすることができる。
【００６９】
これにより、前記ケース本体１１内に折り込まれる前記折込部１４１で生じ得る撓みを防止し、当該折込部１４１を、前記ケース本体１１の前記背面４１側に固定することができる。
【００７０】
このため、折込部をケース本体内に折り込んだ状態において、当該折込部に撓みが生じ、背面に沿って配置される部位が内側に湾曲して突出してしまう従来と比較して、前記収容ケース１内への前記容器体２４の収容が容易となり、前記ケース本体１１への前記容器体２４の収容作業性が向上する。
【００７１】
したがって、製品収容時に生じ得る不具合を解消することができる。
【００７２】
また、前記各中間位置９１，１０２から前記左右折線１３１，１３２の形成位置までの離間距離９２，１０３は、当該ケース本体１１を形成するボール紙３１の厚み寸法以上である１ｍｍに設定されている。
【００７３】
これにより、前記折込部１４１を前記ケース本体１１の内側に折り込んだ際に生じ得る前記ボール紙３１の肉厚に起因した撓みを防止することができ、撓みによる不具合を解消することができる。
【００７４】
また、前記前面２１に対して前記各側面５４，５７を折曲形成する為の左右縁折線１５１，１５２を前記折込部１４１に形成することによって、前記左右折線１３１，１３２と前記左右縁折線１５１，１５２との間に平面からなる左右垂下部１８１，１９１を形成することができ、この左右垂下部１８１，１９１を前記左右側面５４，５７に沿って配設することができる。
【００７５】
これにより、前記ケース本体１１における幅方向の収容スペースを増大することができる。
【００７６】
さらに、前記左右折線１３１，１３２間に一対の左右谷折線１６１，１６２を離間して設けることによって、両谷折線１６１，１６２間に平面からなる背面延在部２０１を形成することができ、この背面延在部２０１を前記背面４１に沿って配設することができる。
【００７７】
これにより、前記ケース本体１１における奥行き方向の収容スペースを増大することができる。
【００７８】
そして、前記左右谷折線１６１，１６２と隣接した前記左右縁折線１５１，１５２との離間距離１７１，１７２を５ｍｍに設定することで、前記左右側面５４，５７に沿って配置された前記左右垂下部１８１，１９１と前記背面４１に沿って配置された前記背面延在部２０１との間に形成される左右傾斜部１８２，１９２の幅寸法を５ｍｍとすることができる。
【００７９】
これにより、前記ケース本体１１における幅方向の収容スペースと奥行き方向の収容スペースとを有効に利用することができる。
【００８０】
なお、本実施の形態では、前記各中間位置９１，１０２から前記左右折線１３１，１３２の形成位置までの離間距離９２，１０３を、当該ケース本体１１を形成するボール紙３１の厚み寸法以上である１ｍｍに設定するとともに、前記左右谷折線１６１，１６２と隣接した前記左右縁折線１５１，１５２との離間距離１７１，１７２を５ｍｍに設定した場合を例に挙げて説明したが、これに限定されるものではない。
【００８１】
（第２の実施の形態）
【００８２】
すなわち、図５に示すように、前記左右折線１３１，１３２の形成位置を前記各中間位置９１，１０２より前記前面２１側に設けるとともに、前記左右谷折線１６１，１６２と前記左右縁折線１５１，１５２との離間距離１７１，１７２を５ｍｍ以上に設定しても良い。
【００８３】
このように構成しても、製品収容時に生じ得る不具合を解消することができるとともに、前述した各効果を得ることができる。
【００８４】
なお、前記各の実施の形態では、前記前面２１に対して前記左側面５４を折曲形成する為の前記折曲線５５によって前記折込部１４１に前記左縁折線１５１を形成するとともに、前記前面２１に対して前記右側面５７を折曲形成する為の前記折曲線５６によって前記折込部１４１に前記右縁折線１５２を形成した場合を例に挙げて説明したが、これに限定されるものでは無い。
【００８５】
（第３の実施の形態）
【００８６】
すなわち、図６に示すように、前記折込部１４１に形成された前記左右縁折線１５１，１５２は、廃止しても良い。
【００８７】
この場合、前記折込部１４１の前記左折線１３１と前記左谷折線１６１との間に、前記左側面５４から前記背面４１へ向けて斜めに延在する左傾斜部３０１を形成することができる。また、前記右折線１３２と前記右谷折線１６２との間には、前記右側面５７から前記背面４１へ向けて斜めに延在する右傾斜部３０２を形成することができる。
【００８８】
そして、前記左谷折線１６１と前記右谷折線１６２との間には、前記背面４１に沿って延在する前記背面延在部２０１を形成することができ、前述した各効果を得ることができる。
【００８９】
（第４の実施の形態）
【００９０】
また、図７に示すように、前述した左縁折線１５１を、前記前面２１に対して前記左側面５４を折曲形成する為の前記折曲線５５によって形成せず、該折曲線５５より外側にずれた位置に形成しても良い。
【００９１】
同様に、前述した右縁折線１５２を、前記前面２１に対して前記右側面５７を折曲形成する為の前記折曲線５６によって形成せず、該折曲線５６より外側にずれた位置に形成しても良い。
【００９２】
この場合も、前述した各効果を得ることができる。
【００９３】
（第５の実施の形態）
【００９４】
図８は、第５の実施の形態を示す図であり、前述した各実施の形態と同一又は同等部分に付いては、同符号を付して説明を割愛するとともに、異なる部分に付いてのみ説明する。
【００９５】
すなわち、この実施の形態にかかる収納ケース１は、前述した第３の実施の形態の収納ケース１の変形例であり、前記折込部１４１に形成された前記左谷折線１６１と前記右谷折線１６２との中央部、つまり、当該折込部１４１を形成する前記左右折線１３１，１３２の中央部に、当該折込部１４１を縦断する中折線５０１が谷折り可能に形成されている。
【００９６】
本実施の形態にあっても、前述した各効果を得ることができる。
【００９７】
加えて、前記左右折線１３１，１３２の中央部に前記中折線５０１を設けることによって、該中折線５０１を、折曲した状態で前記背面４１に密着させることができる。
【００９８】
また、この状態において、前記中折線５０１の両脇に左右傾斜面５０２，５０３を形成することができる。このため、当該折込部１４１に生じた撓みを、斜めに延在する前記各傾斜面５０２，５０３で吸収することができる。
【００９９】
したがって、前記折込部１４１を前記背面４１側へ湾曲させる場合と比較して、当該ケース本体１１の左右側面５４，５７に入力される反力を抑えることができる。これにより、この反力に起因したケース本体１１の変形を防止し、外販品質を高めることができる。
【０１００】
なお、本実施の形態では、前記折込部１４１に前記左谷折線１６１及び前記右谷折線１６２を形成し、かつ前記中折線５０１を形成した場合を例に挙げて説明したが、これに限定されるものではない。
【０１０１】
（第６の実施の形態）
【０１０２】
すなわち、図９に示すように、前述した第５の実施の形態の前記収納ケース１から前記左谷折線１６１と前記右谷折線１６２とを廃止しても良い。
【０１０３】
この場合、前記左折線１３１と前記中折線５０１との間には、前記左側面５４から前記背面４１に掛けて延在する左延在面６０１が形成され、当該左延在面６０１が前記左側面５４と前記背面４１との角部に沿って湾曲することとなる。
【０１０４】
また、前記右折線１３２と前記中折線５０１との間には、前記右側面５７から前記背面４１に掛けて延在する右延在面６０２が形成され、当該右延在面６０２が前記右側面５７と前記背面４１との角部に沿って湾曲することとなる。
【０１０５】
このように構成した場合であっても、前記折込部１４１を前記背面４１に密着させることができるため、製品収容時に生じ得る不具合を解消することができ、前述した効果を得ることができる。
【図面の簡単な説明】
【０１０６】
【図１】本発明の第１の実施の形態の使用例を示す図である。
【図２】同実施の形態を収納ケースを示す図である。
【図３】同実施の形態の収納ケースを展開した状態を示す図である。
【図４】同実施の形態の要部の断面を示す説明図である。
【図５】本発明の第２の実施の形態を示す説明図である。
【図６】（ａ）は本発明の第３の実施の形態を示す説明図であり、（ｂ）はその要部の断面を示す説明図である。
【図７】（ａ）は本発明の第４の実施の形態を示す説明図であり、（ｂ）はその要部の断面を示す説明図である。
【図８】（ａ）は本発明の第５の実施の形態を示す説明図であり、（ｂ）はその要部の断面を示す説明図である。
【図９】（ａ）は本発明の第６の実施の形態を示す説明図であり、（ｂ）はその要部の断面を示す説明図である。
【符号の説明】
【０１０７】
１    収納ケース
１１    ケース本体
２１    前面
２２    開口部
３１    ボール紙
４１    背面
５４    左側面
５７    右側面
８１    上部切込み
８２    下部切込み
８５    上部切込み左端
９１    中間位置
９２    離間距離
１０１    上部切込み右端
１０２    中間位置
１０３    離間距離
１７１    離間距離
１７２    離間距離
１２１    下部切込み右端
１１１    下部切込み左端
１３１    左折線
１３２    右折線
１４１    折込部
１５１    左縁折線
１５２    右縁折線
１６１    左谷折線
１６２    右谷折線
５０１    中折線
【図１】
2008162641.tif 000003
【図２】
2008162641.tif 000004
【図３】
2008162641.tif 000005
【図４】
2008162641.tif 000006
【図５】
2008162641.tif 000007
【図６】
2008162641.tif 000008
【図７】
2008162641.tif 000009
【図８】
2008162641.tif 000010
【図９】
2008162641.tif 000011